【手続補正書】
【提出日】平成27年5月15日(2015.5.15)
【手続補正１】
【補正対象書類名】特許請求の範囲
【補正対象項目名】全文
【補正方法】変更
【補正の内容】
【特許請求の範囲】
【請求項１】
表示手段に複数の選択肢を表示するように制御する表示制御手段と、
前記複数の選択肢のうち選択されている選択肢を変更することなく、前記表示手段に表示された複数の選択肢を他の複数の選択肢に変更する変更手段と、
第１の選択肢が選択され、かつ当該第１の選択肢を含む複数の選択肢が表示されている第１の状態で、選択されている選択肢を変更するための第１の操作が行われると、当該第１の選択肢から、表示されている前記複数の選択肢のうち前記第１の選択肢に隣接する第２の選択肢に選択を変更し、
前記第１の選択肢が選択され、かつ当該第１の選択肢を含まない複数の選択肢が表示されている第２の状態で前記第１の操作が行われると、当該第１の選択肢から、前記第１の選択肢に隣接しない、表示されている複数の選択肢のうちの１つである第３の選択肢に選択を変更するように制御する制御手段と、を有することを特徴とする表示制御装置。
【請求項２】
前記制御手段によって選択肢の選択が変更されると、変更した時点で選択された選択肢の内容で装置の設定を更新する設定手段をさらに有することを特徴とする請求項１に記載の表示制御装置。
【請求項３】
前記表示制御手段は、前記第１の状態において、選択されている選択肢に関する情報として前記表示手段に前記第１の選択肢に関する情報を表示し、
前記前記第２の状態においても、選択されている選択肢に関する情報として前記表示手段に前記第１の選択肢に関する情報を表示し、
前記第３の選択肢が選択されたことに応じて、選択されている選択肢に関する情報として前記表示手段に前記第３の選択肢に関する情報を表示するように制御することを特徴とする請求項１または２に記載の表示制御装置。
【請求項４】
前記表示制御手段は、前記第２の状態においては、前記第１の状態の際とは異なる表示形態で前記第１の選択肢に関する情報を表示するように制御することを特徴とする請求項３に記載の表示制御装置。
【請求項５】
前記第３の選択肢は、前記第１の選択肢を含まない表示されている複数の選択肢のうち、前記第１の選択肢が表示されていた位置から前記第２の選択肢が表示されていた位置へ向かう方向とは最も反対の方向に配置された選択肢であることを特徴とする請求項１ないし４のいずれか１項に記載の表示制御装置。
【請求項６】
前記制御手段は、前記第１の状態において選択されている選択肢を変更するための第２の操作が行われると、当該第１の選択肢から、表示されている前記複数の選択肢のうち、前記第２の選択肢とは逆側で前記第１の選択肢に隣接する第４の選択肢に選択を変更し、
前記第２の状態で前記第２の操作が行われると、前記第１の選択肢から、前記第１の選択肢に隣接しない、表示されている複数の選択肢のうちの１つである第５の選択肢に選択を変更することを特徴とする請求項１ないし５のいずれか１項に記載の表示制御装置。
【請求項７】
前記第５の選択肢は、前記第１の選択肢を含まない表示されている複数の選択肢のうち、前記第１の選択肢が表示されていた位置から前記第４の選択肢が表示されていた位置へ向かう方向とは最も反対の方向に配置された選択肢であることを特徴とする請求項６に記載の表示制御装置。
【請求項８】
前記制御手段は、前記第１の操作とは異なる第３の操作に応じて前記表示手段に表示された複数の選択肢を他の複数の選択肢に変更するように制御することを特徴とする請求項１ないし７のいずれか１項に記載の表示制御装置。
【請求項９】
前記制御手段は、前記第１の選択肢が前記第１の状態で表示された複数の選択肢のうち端に配置された選択肢であり、前記第２の選択肢が前記第１の状態で表示されていない場合、前記第１の状態における前記第１の操作に応じて、表示されている前記複数の選択肢を前記第２の選択肢を含む他の複数の選択肢に変更して前記第２の選択肢を選択するように制御することを特徴とする請求項１ないし８のいずれか１項に記載の表示制御装置。
【請求項１０】
被写体の光学像を撮像する撮像手段をさらに有し、
前記複数の選択肢は、撮影に関する設定が可能な選択肢を含むことを特徴とする請求項１ないし９のいずれか１項に記載の表示制御装置。
【請求項１１】
前記複数の選択肢は、撮影モードをマニュアル露出に設定するための選択肢、絞り優先自動露出に設定するための選択肢、プログラム自動露出に設定するための選択肢を含むことを特徴とする請求項１０に記載の表示制御装置。
【請求項１２】
前記表示手段に対するタッチを検知可能なタッチ検知手段をさらに有し、
前記制御手段は、前記第２の状態で表示された複数の選択肢のうちいずれかがタッチされたことに応じて、タッチされた選択肢に選択を変更するように制御することを特徴とする請求項１ないし１１のいずれか１項に記載の表示制御装置。
【請求項１３】
表示手段に複数の選択肢を表示するように制御する表示制御装置の制御方法であって、
前記複数の選択肢のうち選択されている選択肢を変更することなく、前記表示手段に表示された複数の選択肢を他の複数の選択肢に変更する変更工程と、
第１の選択肢が選択され、かつ当該第１の選択肢を含む複数の選択肢が表示されている第１の状態で、選択されている選択肢を変更するための第１の操作が行われると、当該第１の選択肢から、表示されている前記複数の選択肢のうち前記第１の選択肢に隣接する第２の選択肢に選択を変更し、
前記第１の選択肢が選択され、かつ当該第１の選択肢を含まない複数の選択肢が表示されている第２の状態で前記第１の操作が行われると、当該第１の選択肢から、前記第１の選択肢に隣接しない、表示されている複数の選択肢のうちの１つである第３の選択肢に選択を変更するように制御する制御工程と、を有することを特徴とする制御方法。
【請求項１４】
表示手段に複数の選択肢を表示するように制御する表示制御手段と、
前記複数の選択肢のうち選択されている選択肢を変更することなく、前記表示手段に表示された複数の選択肢を他の複数の選択肢に変更する変更手段と、
第１の選択肢が選択され、かつ当該第１の選択肢を含む複数の選択肢が表示されている第１の状態で、選択されている選択肢に関する情報として前記表示手段に前記第１の選択肢に関する情報を第１の表示形態で表示し、
前記第１の選択肢が選択され、かつ前記第１の選択肢を含まない複数の選択肢が表示されている第２の状態で、選択されている選択肢に関する情報として前記表示手段に前記第１の選択肢に関する情報を、前記第１の状態の際とは異なる第２の表示形態で表示するように制御する制御手段と、を有することを特徴とする表示制御装置。
【請求項１５】
前記制御手段は、前記第２の状態で表示されている複数の選択肢に含まれる第３の選択肢を選択する操作が行われたことに応じて、前記第１の選択肢から前記第３の選択肢に選択を切替えるとともに、選択されている選択肢に関する情報として、前記第１の選択肢に関する情報に代えて前記第３の選択肢に関する情報を前記第１の表示形態で表示するように制御することを特徴とする請求項１４に記載の表示制御装置。
【請求項１６】
前記第２の表示形態はグレーアウトした表示形態であることを特徴とする請求項１４または１５に記載の表示制御装置。
【請求項１７】
表示手段に複数の選択肢を表示するように制御する表示制御装置の制御方法であって、
前記複数の選択肢のうち選択されている選択肢を変更することなく、前記表示手段に表示された複数の選択肢を他の複数の選択肢に変更する変更工程と、
第１の選択肢が選択され、かつ当該第１の選択肢を含む複数の選択肢が表示されている第１の状態で、選択されている選択肢に関する情報として前記表示手段に前記第１の選択肢に関する情報を第１の表示形態で表示するように制御する第１の表示工程と、
前記第１の選択肢が選択され、かつ前記第１の選択肢を含まない複数の選択肢が表示されている第２の状態で、選択されている選択肢に関する情報として前記表示手段に前記第１の選択肢に関する情報を、前記第１の状態の際とは異なる第２の表示形態で表示するように制御する第２の表示工程と、を有することを特徴とする制御方法。
【請求項１８】
コンピュータを、請求項１ないし１２、１４ないし１６のいずれか１項に記載された表示制御装置の各手段として機能させるためのプログラム。
【請求項１９】
コンピュータを、請求項１ないし１２、１４ないし１６のいずれか１項に記載された表示制御装置の各手段として機能させるためのプログラムを記憶した記憶媒体。
【手続補正２】
【補正対象書類名】明細書
【補正対象項目名】０００８
【補正方法】変更
【補正の内容】
【０００８】
上記課題を解決し、目的を達成するために、本発明の表示制御装置は、表示手段に複数の選択肢を表示するように制御する表示制御手段と、前記複数の選択肢のうち選択されている選択肢を変更することなく、前記表示手段に表示された複数の選択肢を他の複数の選択肢に変更する変更手段と、第１の選択肢が選択され、かつ当該第１の選択肢を含む複数の選択肢が表示されている第１の状態で、選択されている選択肢を変更するための第１の操作が行われると、当該第１の選択肢から、表示されている前記複数の選択肢のうち前記第１の選択肢に隣接する第２の選択肢に選択を変更し、前記第１の選択肢が選択され、かつ当該第１の選択肢を含まない複数の選択肢が表示されている第２の状態で前記第１の操作が行われると、当該第１の選択肢から、前記第１の選択肢に隣接しない、表示されている複数の選択肢のうちの１つである第３の選択肢に選択を変更するように制御する制御手段と、を有する。